(57)【要約】      （修正有）【課題】釜付き電磁調理器を提供する。【解決手段】電磁調理器１２と、例えば米粒などの食材が収容可能な釜体１４とを含む。電磁調理器は、器具本体１８を有し、器具本体の上端に凹部２６を有し、凹部には底壁２８と環状側壁３０とが含まれ、環状側壁は、底壁から上方へ延在し弧状に形成される。釜体は、凹部上に脱着可能に載置され、釜体は、電気伝導可能な金属材料からなり、底板３６と、底板の周囲から上方へ延在する側板３８とを含み、側板の下端には円弧部４２が形成され、釜体が凹部上に載置された場合、釜体の側板の円弧部は、器具本体の弧状側壁３０上に対応して位置する。電磁調理器は、釜体の底板及び側板に同時に加熱し、高い熱効果を得ることで釜体内の米粒食材を加熱することができるため、釜体内の米粒をよく煮ることが容易となる。【選択図】図４
0003190410.tif 000002
【実用新案登録請求の範囲】
【請求項１】
器具本体を有し、前記器具本体の上端には凹部が設けられ、前記凹部が底壁と環状側壁とを含み、前記環状側壁が前記底壁から上方へ延在し弧状に形成される電磁調理器と、
前記電磁調理器の凹部上に脱着可能に載置され、電磁伝導可能な金属材料からなり、底板と前記底板の周囲から上方へ延在する側板とを含み、前記側板の下端には円弧部が形成され、前記凹部上に載置された場合、前記側板の円弧部が前記器具本体の弧状側壁に対応して位置する釜体と、
を備えることを特徴とする釜付き電磁調理器。
【請求項２】
前記器具本体は、周囲壁を含み、前記周囲壁上には前記電磁調理器の作動を操作するための制御パネルが設けられ、前記周囲壁の上端には前記凹部に連通される排水孔が設けられていることを特徴とする請求項１に記載の釜付き電磁調理器。
【請求項３】
前記側板の厚さは、４〜５ｍｍであり、前記円弧部の円弧角が前記器具本体側壁の円弧角よりも小さいことで、前記釜体が前記凹部上に載置された後、前記円弧部と前記釜体の弧状側壁とは所定の間隔だけ離間していることを特徴とする請求項１に記載の釜付き電磁調理器。
【請求項４】
前記凹部の底壁には温度検知素子が設けられ、前記釜体の底板の下表面には凹溝が設けられ、前記釜体が前記凹部上に載置された後、前記釜体の底板が前記凹部の底壁に接触し、前記電磁調理器の温度検知素子が前記凹溝に位置することを特徴とする請求項３に記載の釜付き電磁調理器。
【考案の詳細な説明】
【技術分野】
【０００１】
本考案は、釜付き電磁調理器に関し、特に電磁調理器を加熱源とする炊飯釜に関するものである。
【背景技術】
【０００２】
一般の家庭では、通常、食べ物を加熱するための電磁調理器が用意されており、食べ物は、例えば鍋の容器に収容され、容器は、鋳鉄、鉄又は鋼等の磁気伝導可能な金属材料からなる。容器が電磁調理器の平坦上部上に置かれると、電磁調理器内部の検知装置によって検知され、電磁調理器内部のコイルが導通し、容器の底部に渦電流が生成される熱効果により容器内の食べ物が加熱される。
【０００３】
電磁調理器で食べ物を加熱することは、加熱の素早さ、加熱の均一化に利点がある。しかしながら、従来の電磁調理器と釜との組み合わせ構造としては、炊飯に不向きである。具体的には、従来の電磁調理器の上部が平面状であり、釜に対する加熱が釜の底面のみに限られるため、釜内の米をよく煮るのが容易ではない。従って、一般の家庭に別の炊飯器の選択を提供するために、電磁調理器を加熱源とする釜装置が必要となる。
【考案の概要】
【考案が解決しようとする課題】
【０００４】
そこで、本考案は、電磁調理器を加熱源とし、飯炊きに適用し、ユーザに別の炊飯器の選択を提供する、釜付き電磁調理器を提供することを目的とする。
【課題を解決するための手段】
【０００５】
本考案に係る釜付き電磁調理器は、電磁調理器と、釜体とを含む。該電磁調理器は、器具本体を有し、該器具本体の上端に凹部を有し、該凹部には底壁と環状側壁とが含まれ、該環状側壁は、該底壁から上方へ延在し弧状に形成される。該釜体は、該電磁調理器の凹部上に脱着可能に載置され、該釜体は、電気伝導可能な金属材料からなり、底板と、該底板の周囲から上方へ延在する側板とを含み、該側板の下端には円弧部が形成され、該釜体が該凹部上に載置された場合、該釜体の側板の円弧部は、該器具本体の弧状側壁上に対応して位置する。該器具本体は、周囲壁を含み、該周囲壁上には、該電磁調理器の作動を操作するための制御パネルが設けられ、該周囲壁の上端には該凹部に連通される排水孔が設けられている。
【考案の効果】
【０００６】
本考案に係る釜付き電磁調理器によれば、鍋体内の米粒食材を加熱するための高い熱効果を得ることができ、鍋体内の米粒をよく煮ることが容易となる。
【図面の簡単な説明】
【０００７】
【図１】本考案に係る釜付き電磁調理器の立体図を示す。
【図２】図１の釜付き電磁調理器の素子分解図である。
【図３】図１の釜付き電磁調理器の正面図。
【図４】図１の釜付き電磁調理器の一部の断面図である。
【考案を実施するための形態】
【０００８】
図１〜図４に示すように、本考案に係る釜付き電磁調理器１０は、電磁調理器１２と、例えば米粒の食材が収容可能な釜体１４と、上蓋１６とを含む。電磁調理器１２は、器具本体１８を有し、器具本体１８の内部には加熱用コイル１９と検知装置（従来技術であるため、図示せず）とが設けられ、器具本体１８は、周囲壁２０を含み、周囲壁２０上には制御パネル２２が設けられ、制御パネル２２上には電磁調理器１２の作動を操作するための複数の制御押しボタン２４が設けられている。器具本体１８の上端には凹部２６が設けられ、凹部２６は、底壁２８と、環状側壁３０とを含み、側壁３０は、底壁２８から上方へ延在し弧状に形成される。底壁２８の中央には温度検知素子３２が設けられ、温度検知素子３２は、底壁２８から略突出する。周囲壁２０の上端には凹部２６に連通される排水孔３４が設けられていることで、凹部２６に流れ込む水は、排水孔３４を介して器具本体１８の外部に排出される。
【０００９】
釜体１４は、例えば鋳鉄、鉄または鋼などの電磁伝導可能な金属材料からなり、電磁調理器１２の凹部２６上に脱着可能に載置される。釜体１４は、底板３６と、底板３６の周囲から上方へ延在する側板３８とを含み、底板３６と側板３８との間には、米粒や食材を収容するための収容室４０が区画されている。側板３８の厚さは、約４〜５ｍｍであり、側板３８の下端には円弧部４２が設けら、即ち、側板３８の下端と底板３６の周囲とは円弧面の境界が形成される。円弧部４２の円弧角（Ｒ角）が器具本体１８の側壁３０の円弧角よりも略小さいため、釜体１４が凹部２６上に載置された後、円弧部４２は、器具本体１８の側壁３０上に対応して位置し、所定の間隔だけ離間している（図４参照）。底板３６の下表面の中央には凹溝４４が設けられ、釜体１４が凹部２６上に載置された後、釜体１４の底板３６が凹部２６の底壁２８に接触し、電磁調理器１２の温度検知素子３２が凹溝４４内に対応して位置する。凹溝４４の深さが０．３〜５ｍｍ（即ち、凹溝４４の上端溝面と底壁２８との間隔は０．３〜５ｍｍである）であるため、電磁調理器１２内にある検知装置は、凹部２６上に載置された釜体１４を検知することができ、電磁調理器１２の内部にあるコイル１９の起動を制御することができる。釜体１４の側板３８の上端には凸縁４６が外方へ延在し、凸縁４６の両側には把持用のハンドル４８が設けられている。上蓋１６は、釜体１４の上部開口に脱着可能に蓋着されている。
【００１０】
本考案に係る釜付き電磁調理器１０によれば、使用上、米粒及び／又は食材を釜体１４の収容室４０に載置し、上蓋１６が蓋着される前に、まず釜体１４の上部に密封用の蓋板５０（図４参照）をかけることができる。次に、釜体１４の底板３６を電磁調理器１２の凹部２６上に載置する。電磁調理器１２の電源がオンとなると、電磁調理器１２内にある検知装置は、釜体１４を検知して内部のコイル１９を導通させ渦電流を生成させることで釜体１４に対して加熱し、熱効果により炊飯する。さらに、温度検知素子３２は、釜体１４の底板３６に当接されているため、釜体１４の温度を検知することができる。
【００１１】
本考案に係る釜付き電磁調理器１０によれば、電磁調理器１２を加熱源として釜体１４に対して容易に加熱するのみならず、釜体１４を電磁調理器１２の凹部２６上に安定的に載置して位置決めすることができるため、釜体１４は、電磁調理器１２上に移動することはない。さらに、釜体１４の側板３８の厚さを４〜５ｍｍとし、釜体１４の側板３８の下端円弧部４２が器具本体１８の円弧側壁３０上に対応して位置することで、釜体１４の底板３６及び側板３８の下半部が、いずれも電磁調理器１２の加熱用コイル１９によって加熱され、高い熱効果により釜体１４内の米粒及び／又は食材を加熱することができるため、釜体１４内の米粒をよく煮ることが容易となる。また、炊飯過程において凹部２６内に落下した水は、排水孔３４を介して器具本体１８の外部に排出することができる。
【００１２】
上記のように、これらの実施の形態は本考案の好ましい実施例のみであり、本考案の特許請求の範囲に基づいてなされる等価の変更や修飾は、本考案の技術範囲に入るものである。
【００１３】
以上のように、本考案では、器具本体を有し、前記器具本体の上端には凹部が設けられ、前記凹部が底壁と環状側壁とを含み、前記環状側壁が前記底壁から上方へ延在し弧状に形成される電磁調理器と、前記電磁調理器の凹部上に脱着可能に載置され、電磁伝導可能な金属材料からなり、底板と前記底板の周囲から上方へ延在する側板とを含み、前記側板の下端には円弧部が形成され、前記凹部上に載置された場合、前記側板の円弧部が前記器具本体の弧状側壁に対応して位置する釜体と、を備えることを特徴とする釜付き電磁調理器とするものである。
【００１４】
また、前記器具本体は、周囲壁を含み、前記周囲壁上には前記電磁調理器の作動を操作するための制御パネルが設けられ、前記周囲壁の上端には前記凹部に連通される排水孔が設けられているものとする。
【００１５】
また、前記側板の厚さは、４〜５ｍｍであり、前記円弧部の円弧角が前記器具本体側壁の円弧角よりも小さいことで、前記釜体が前記凹部上に載置された後、前記円弧部と前記釜体の弧状側壁とは所定の間隔だけ離間しているものとする。
【００１６】
また、前記凹部の底壁には温度検知素子が設けられ、前記釜体の底板の下表面には凹溝が設けられ、前記釜体が前記凹部上に載置された後、前記釜体の底板が前記凹部の底壁に接触し、前記電磁調理器の温度検知素子が前記凹溝に位置するものとする。
【産業上の利用可能性】
【００１７】
本考案に係る釜付き電磁調理器によれば、鍋体内の米粒食材を加熱するための高い熱効果を得ることができ、鍋体内の米粒をよく煮ることが容易となる。
【符号の説明】
【００１８】
１０  釜付き電磁調理器
１２  電磁調理器
１４  釜体
１６  上蓋
１８  器具本体
１９  コイル
２０  周囲壁
２２  制御パネル
２４  押しボタン
２６  凹部
２８  底壁
３０  側壁
３２  温度検知素子
３４  排水孔
３６  底板
３８  側板
４０  収容室
４２  円弧部
４４  凹溝
４６  凸縁
４８  ハンドル
５０  蓋板
【図１】
0003190410.tif 000003
【図２】
0003190410.tif 000004
【図３】
0003190410.tif 000005
【図４】
0003190410.tif 000006